(57)【要約】  本発明は、床や壁や天井のための織物カバー内に設けられる継ぎ目ストリップ（５０）に関するものであって、露出されて美的な表面処理をもたらす。継ぎ目ストリップは、逆Ｔ字形状ストリップとされ、パイル高さよりも低く位置する上面を有して起立したウェブ（５２）と、このウェブの下側面から両サイドに延在する一対のフランジ（５４，５６）と、を備えている。両フランジは、床や壁や天井に対してストリップ（５０）を固定するネジや釘といった固定手段を受領する複数の穴（６０）を有している。織物カバーの隣接エッジは、フランジの上面に対して固定される。織物カバーは、好ましくは、房状織込の返し縫い部分（１４）と一次的背当ての露出部分とを有し、これらは、ストリップ（５０）の露出上面と一緒に、美観的に満足のいく表面処理を形成する。
2005514540.tif 000002
【特許請求の範囲】
【請求項１】
床または壁または天井に対する表面処理であって、
前記床または前記壁または前記天井を被覆する織物カバーであるとともに、互いに隣接して配置された織物カバーどうしの間に継ぎ目を有しており、さらに、前記床または前記壁または前記天井がなす面を覆う面とは反対側の面が、平面状露出表面とされているような、織物カバーと；
上面を有して起立したウェブと、このウェブの下面に沿ってかつこのウェブの側面から横向きに延在する少なくとも１つのフランジと、を備えてなる長尺ストリップと；
を具備してなり、
前記フランジが、前記カバーのうちの、前記継ぎ目に隣接した少なくとも１つの周縁エッジの下方に位置し、
前記ウェブが、前記カバーの前記周縁エッジの間において前記フランジから上向きに延在し、
前記ウェブが、前記カバーの前記平面状露出表面のところにおいてあるいはその平面状露出表面よりも低い位置において、終端し、
前記ウェブの前記上面が、前記カバーの前記平面状露出表面を通して露出されていて、前記カバーと一緒に、露出された装飾性表面を形成していることを特徴とする表面処理。
【請求項２】
請求項１記載の表面処理において、
前記フランジが、前記ストリップに沿って連続的に延在していることを特徴とする表面処理。
【請求項３】
請求項１記載の表面処理において、
前記ストリップが、前記ウェブの下面に沿ってかつ前記側面とは反対側の側面から横向きに延在する第２フランジを備え、
この第２フランジが、前記カバーのうちの、前記継ぎ目に隣接した第２の周縁エッジの下方に位置していることを特徴とする表面処理。
【請求項４】
請求項３記載の表面処理において、
前記第２フランジが、前記ストリップに沿って連続的に延在していることを特徴とする表面処理。
【請求項５】
請求項１記載の表面処理において、
前記フランジが、金属から形成されていることを特徴とする表面処理。
【請求項６】
請求項１記載の表面処理において、
前記ウェブの前記上面が、前記カバーの前記平面状露出表面よりも低い位置において、終端していることを特徴とする表面処理。
【請求項７】
請求項１記載の表面処理において、
前記フランジが、前記ウェブの幅の少なくとも２倍という長さでもって、横向きに延出されていることを特徴とする表面処理。
【請求項８】
請求項１記載の表面処理において、
前記フランジが、前記床または前記壁または前記天井に対して前記ストリップを固定するための固定手段を受領するための複数の穴を有していることを特徴とする表面処理。
【請求項９】
請求項１記載の表面処理において、
前記カバーの前記周縁エッジと前記フランジとが、接着によって互いに固定されていることを特徴とする表面処理。
【請求項１０】
請求項１記載の表面処理において、
前記ストリップが、前記ウェブの下面に沿ってかつ前記側面とは反対側の側面から横向きに延在する第２フランジを備え、
この第２フランジが、前記カバーのうちの、前記継ぎ目に隣接した第２の周縁エッジの下方に位置し、
前記ストリップが、金属から形成され、
前記両フランジが、前記ストリップの両側面に沿って連続的に延在し、
前記両フランジの各々が、前記ウェブの幅の少なくとも２倍という長さでもって、横向きに延出され、
前記ウェブの前記上面が、前記カバーの前記平面状露出表面よりも低い位置において、終端し、
前記両フランジが、前記床または前記壁または前記天井に対して前記ストリップを固定するための固定手段を受領するための複数の穴を有し、
前記カバーの前記周縁エッジと前記フランジとが、接着によって互いに固定されていることを特徴とする表面処理。
【請求項１１】
請求項１記載の表面処理において、
前記織物カバーが、第２の隣接部分どうしの間に、第２継ぎ目を有し、
第２長尺ストリップが設けられ、
この第２長尺ストリップが、上面を有して起立した第２ウェブと、この第２ウェブの下面に沿ってかつこの第２ウェブの側面から横向きに延在する少なくとも１つのフランジと、を備え、
前記第２ストリップの前記フランジが、前記カバーの前記第２隣接部分のうちの、前記第２継ぎ目に隣接した少なくとも１つの周縁エッジの下方に位置し、
前記第２ウェブが、前記カバーのうちの前記第２継ぎ目を形成している前記周縁エッジの間において、前記第２ストリップの前記第２フランジから上向きに延在し、
前記第２ウェブが、前記カバーの前記平面状露出表面のところにおいてあるいはその平面状露出表面よりも低い位置において、終端し、
前記第２ウェブの前記上面が、前記カバーの前記平面状露出表面を通して露出されていて、前記カバーと一緒に、露出された装飾性表面を形成していることを特徴とする表面処理。
【請求項１２】
請求項１１記載の表面処理において、
前記両ストリップが、互いに略平行に配置されていることを特徴とする表面処理。
【請求項１３】
請求項１１記載の表面処理において、
前記両ストリップが、互いに角度をなして配置されていることを特徴とする表面処理。
【請求項１４】
請求項１１記載の表面処理において、
前記織物カバーが、複数のタイルから構成され、
これらタイルのすべての辺が、前記両ストリップによって拘束されていることを特徴とする表面処理。
【請求項１５】
請求項１記載の表面処理において、
前記織物カバーが、
前記織物カバーの一表面上において部分的に露出されていて、前記織物カバーの摩耗表面の複数の個別摩耗表面部分を形成している、一次的背当てと、
この一次的背当ての残部に沿って前記一次的背当て内へと房状に織り込まれ、さらに、前記一次的背当てのうちの、前記摩耗表面とは反対側に位置した背面上において、複数の切断部分または複数のループ部分を形成し、さらに、露出されている前記摩耗表面の残部をなす複数の返し縫い部分を形成している、複数の糸と、
前記一次的背当ての前記背面に沿って前記複数の切断部分または前記複数のループ部分を固定する樹脂と、
を備え、
前記返し縫い部分と、前記一次的背当てのうちの前記露出された摩耗表面に沿って露出された部分とが、互いに美観的特性を有し、前記ウェブの前記上面と一緒に、前記織物カバーの、露出された装飾性表面を形成していることを特徴とする表面処理。
【請求項１６】
請求項１５記載の表面処理において、
前記ストリップが、前記ウェブの下面に沿ってかつ前記側面とは反対側の側面から横向きに延在する第２フランジを備え、
この第２フランジが、前記カバーのうちの、前記継ぎ目に隣接した第２の周縁エッジの下方に位置していることを特徴とする表面処理。
【請求項１７】
請求項１記載の表面処理において、
前記織物カバーが、織り込まれた一次的背当てを備え、
この一次的背当てが、前記織物カバーの露出された摩耗表面の複数の個別摩耗表面部分を形成している露出面上に、房状織込部分と非房状織込部分とを有し、
前記房状織込部分が、前記一次的背当ての内部へと房状に織り込まれ、さらに、前記一次的背当てのうちの、前記摩耗表面とは反対側に位置した背面上において、複数の切断部分または複数のループ部分を形成し、さらに、露出されている前記摩耗表面の残部をなす複数の返し縫い部分を形成している、複数の糸を有し、
前記織物カバーが、さらに、前記一次的背当ての前記背面に沿って前記複数の切断部分または前記複数のループ部分を固定する樹脂と、を備え、
前記非房状織込部分が、前記一次的背当てをなす横糸と縦糸とを有し、
前記一次的背当ての前記房状織込部分と前記非房状織込部分とのうちの、前記摩耗表面に沿って露出された部分が、互いに美観的特性を有していることを特徴とする表面処理。
【発明の詳細な説明】
【技術分野】
【０００１】
本発明は、床や壁や天井に対する表面処理に関するものであり、特に、相補的な美的デザイン特性を形成する１つまたは複数の継ぎ目ストリップを有した広幅じゅうたんあるいはモジュール型織物カバーに関するものである。
【背景技術】
【０００２】
従来技術による表面処理の一態様は、例えば広幅じゅうたんロールカーペットやモジュール型カーペットといったような織物カバーである。『カーペット』や『カバー』という用語は、本明細書中においては、床や壁や天井に対して適用されたエンブレースカーペット（embrace carpet）を意味している。カーペットに関しての、特に商業施設におけるカーペットに関しての、原理的で本来的な欠点は、カーペットの美的特性を長期間にわたって維持することが困難なことである。例えば、商業施設においては、また家庭においても、戸口とか通行量の多い領域とかに隣接した配置されたカーペットパイルは、すぐにへたってしまい、外観性が著しく悪くなってしまう。他の例は、椅子やカートや他の物体のホイールやキャスターが頻繁に通過する領域に配置された従来技術によるカーペットである。そのような領域においては、カーペットの外観性が、急激に劣化してしまう。
【０００３】
本出願人による現在係属中の米国特許出願（シリアル番号第０９／８４６，７８２号、出願日：２００１年５月２日、代理人整理番号１１−９０２）には、典型的にはカバーの摩耗表面といったような露出表面が、部分的に、通常はカーペットパイルによって被覆されるような一次的背当て面を備えているような、表面処理が記載されている。この文献の記載内容は、参考のため、その全体がここに組み込まれる。例えば房状パイルカーペットのためのものといったような一次的背当てが、典型的には、カーペットに対して美観を付与する目的ではなく、パイルに対しての支持体として機能することは、理解されるであろう。大部分のカーペットにおいては、一次的背当ては、パイルによって全体的に覆われており、カーペットの美的デザインに関しては何の役割も果たさない。上記米国特許出願に記載されたカーペット構成においては、房の返し縫い部分と一次的背当ての露出部分とが、処理表面の美的部分を形成している。このようにして得られる表面処理は、稠密でありかつ凹凸の少ない表面をもたらし、この結果、織物の美観を維持する。また、このような表面処理は、カーペットの美観を実質的に損なうことなく、カーペット上にわたっての、例えばベッドや椅子等の回転移動物の移動を可能とする。カーペットのこの例においては、一次的背当ては、所定領域において、一次的背当てとは反転した態様でもって、房状とされている。これにより、房の返し縫い部分は、一次的背当ての露出部分と一緒に、露出された典型的摩耗表面を形成する。
【特許文献１】米国特許出願シリアル番号第０９／８４６，７８２号
【発明の開示】
【課題を解決するための手段】
【０００４】
表面処理の外観に関するさらなる美観的増強が、本発明の好ましい実施形態に基づき、織物カバーの周縁エッジどうしの間に配置される１つまたは複数の継ぎ目ストリップによって、もたらされる。この継ぎ目ストリップは、非常に低いパイルのために、上記特許出願に記載されたカーペットにおいて特に有効である。継ぎ目ストリップは、好ましくは、逆Ｔ字形状横断面を有した構成のものとされ、起立したウェブと、１つまたは一対をなす横向きに延出されたフランジと、を備えている。ウェブは、パイル高さのところに位置したあるいはパイル高さよりも低い位置に位置した上面を有しているとともに、織物カバーの露出面の美観的特性を補完する露出面を提供する。１つまたは複数の側方フランジは、カバーのうちの隣接エッジの下方に位置しており、好ましくは、床や壁や天井に対してストリップを固定するための複数の穴を有している。織物カバーの、継ぎ目のところにおける隣接エッジは、例えば接着剤を使用することによって、ストリップに対して固定することができる。
【０００５】
本発明による表面処理の一使用例として、ストリップの形態とされたロールカーペットを、床や壁や天井に対して適用することができ、その場合、継ぎ目ストリップが、織物カバーの隣接エッジに沿って、すなわち織物カバーの継ぎ目に沿って、配置される。その結果、カーペットの露出面と一緒に、継ぎ目ストリップのウェブの上面エッジを露出させることにより、全体的美的外観をもたらすことができる。例えば、上記特許文献に記載されたカバーの場合に、継ぎ目ストリップのウェブの上面エッジと組み合わせて、織物カバーの一次的背当てと、この一次的背当てを通して露出される房状織込糸の返し縫い部分と、を使用することによって、美観的に満足のいく外観を得ることができる。継ぎ目ストリップが、特に継ぎ目ストリップのウェブの露出上面エッジが、織物カバーの美的外観を補完し得るような様々な色付きのものとされ得ることは、理解されるであろう。また、継ぎ目ストリップを使用した様々なデザイン（あるいは、模様）を、織物カバーに対して付与し得ることは、理解されるであろう。例えば、上述したように、複数の継ぎ目ストリップは、カバーを形成している隣接したカーペットストリップどうしの間の継ぎ目において、互いに平行に配置することができる。これにより、複数のカーペットタイルを、継ぎ目ストリップどうしが互いに直交して交差するように、形成することができる。これにより、チェックボードパターンを形成することができる。当業者であれば、他の様々なパターンとし得ることを、理解されるであろう。
【０００６】
本発明の好ましい実施形態においては、床または壁または天井に対する表面処理であって、床または壁または天井を被覆する織物カバーであるとともに、互いに隣接して配置された織物カバーどうしの間に継ぎ目を有しており、さらに、床または壁または天井がなす面を覆う面とは反対側の面が、平面状露出表面とされているような、織物カバーと；上面を有して起立したウェブと、このウェブの下面に沿ってかつこのウェブの側面から横向きに延在する少なくとも１つのフランジと、を備えてなる長尺ストリップと；を具備してなり、フランジが、カバーのうちの、継ぎ目に隣接した少なくとも１つの周縁エッジの下方に位置し、ウェブが、カバーの周縁エッジの間においてフランジから上向きに延在し、ウェブが、カバーの平面状露出表面のところにおいてあるいはその平面状露出表面よりも低い位置において、終端し、ウェブの上面が、カバーの平面状露出表面を通して露出されていて、カバーと一緒に、露出された装飾性表面を形成している表面処理が提供される。
【発明を実施するための最良の形態】
【０００７】
図１〜図３は、継ぎ目ストリップと組み合わされることによって、本発明による表面処理の好ましい実施形態を構成することとなる、織物カバーの構成を、概略的に示す断面図である。
【０００８】
図４は、織物カバーと継ぎ目ストリップとからなる組合せ体の一部を示す斜視図であって、織物カバーの継ぎ目に沿って、継ぎ目ストリップが適用されている。
【０００９】
図５〜図７は、継ぎ目ストリップと織物カバーとを備えてなる表面処理における様々な美的デザインの例示を示す図である。
【００１０】
さて、図に示すように、特に図１には、織物カバーが、全体的に符号（１０）によって示されている。この織物カバー（１０）は、本発明の好ましい実施形態に基づいて構成された表面処理において有効な様々なカバーを代表するものである。カバー（１０）は、ポリプロピレンの織込によって形成された一次的背当て（１２）を備えている。この一次的背当て（１２）に対しては、従来的態様に従って房状織込が行われている。つまり、織り込まれた一次的背当て（１２）を通して、加工済みのあるいは未加工の連続フィラメントすなわち紡績糸（１４）を通過させ、これにより、一次的背当て（１２）の下面に沿ってループ糸（１６）が形成されている。房状織込プロセスは、従来的なものであって、織込を行う糸としては、任意のタイプの繊維を使用することができる。例えば、ポリエステルや、ポリエチレンやポリプロピレンのようなポリオレフィンや、ポリ乳酸や、ナイロンのようなポリアミド、といったようなものを、必要に応じて使用することができる。さらに、房状連続的ループ糸（１６）が、一次的背当て（１２）の背面上に位置するものとして図示されているけれども、複数のループまたは複数のループ糸（１６）は、一次的背当て（１２）の背面に沿って、カット済みパイル糸とされ得ることは、理解されるであろう。織り込まれた一次的背当て（１２）は、さらに、紫外線（ＵＶ）安定剤を有しており、紫外線に影響による劣化に対して保護されている。つまり、一次的背当ては、好ましくは、一次的背当てをなすポリプロピレン糸の押出時にＵＶ安定剤が添加されたポリプロピレンの織込によって、形成されている。
【００１１】
樹脂（１８）が、一次的背当ての背面に沿って適用されており、複数のループ（１６）をコーティングしかつ包含しさらに包み込んでいる。これにより、ループ糸を所定位置にロックしている。その後に、樹脂コーティング済みの連続ループ糸（１６）上にわたって、Unibond（登録商標） 製の背当てまたはコーティングが適用されている。 Unibond（登録商標）製コーティング（２０）は、エチルビニルアセテート（ＥＶＡ）とカルシウムカーボネートと樹脂との混合物である。 Unibond（登録商標）製コーティングは、樹脂（１８）上にわたってのホットメルト構成物として適用されている。ホットメルトが未だ液体状態すなわち可塑状態である間に、好ましくはポリプロピレン製編込スクリムとされた二次的背当て（２２）が、 Unibond（登録商標）製コーティング（２０）に対して適用される。その後、カーペット構成を冷蔵テーブル上へと移し、これにより、 Unibond（登録商標）製コーティングを硬化させて固化させ、カーペット構成に対して二次的背当て（２２）を固定する。二次的背当て（２２）は、カバーに対して、強度と寸法安定性とを付与する。
【００１２】
図５〜図７を参照することにより、房状糸（１４）の返し縫い部分（２８）が、一次的背当て（１２）を通して露出されており、織物摩耗表面の一部を形成していることが、理解されるであろう。さらに、各返し縫い部分（２８）は、密に房状とされており、これにより、摩耗表面上において一次的背当て（１２）を通して露出された長さ全体にわたって、ポリプロピレン製織込一次的背当て（１２）に対して実質的に連続的に接触している。
【００１３】
クッション効果を増強するために、図２に示されたような、連続的ループ糸（１４）によって房状織込された一次的背当て（１２）は、図１の場合と同様に、背面側が、樹脂（１８）によってコーティングされている。しかしながら、この場合には、ニードル結合された合成繊維製の主コーティングマット（３０）が、樹脂コーティング（１８）の直下に配置されている。ニードル結合された合成繊維製の成形マット（３０）は、切断混合物としてナイロンやポリプロピレンを有することができ、樹脂と混合することができる。好ましくは、切断繊維のすべてまたは一部は、他のカーペット製造ラインからの廃棄材料から形成することができる。あるいは、切断繊維は、そのような廃棄材料を利用しないものとすることもできる。
【００１４】
図３においては、織込ポリプロピレン製一次的背当て（１２）に代えて、不織布製一次的背当て（４０）が使用されている。これは、モジュール型カーペットすなわちカーペットタイルにおいて特に有効である。不織布製一次的背当ては、好ましくは、ナイロン繊維とポリエステル繊維との混合物から形成される。これら繊維は、圧縮されて互いに混合され、加熱ロール間を通すことによって、平坦化され、フラットな複合シート構造として成形される。ポリエステル繊維とナイロン繊維とは、本質的に相互に結合する。その後、このシートに対して、切断されたあるいは連続的なループ糸（１４）を使用することによって、房状の織込を行うことができる。これにより、寸法安定性の大きな一次的背当てが形成される。
【００１５】
不織布製一次的背当てに対しては、二次的背当てとしての Unibond（登録商標）および編込スクリムを付加することも、また、ニードル結合された合成繊維製背当てを付加することも、可能であるけれども、不織布製背当ては、広幅じゅうたんカーペットの場合には必須ではない。好ましくは、モジュール型カーペットにおける使用に関しては、不織布製一次的背当てに対して、ＰＶＣ製背当てが適用される。特に、ＰＶＣ製プレコーティング（４２）が、房状織込されたループ糸（１４）に対して適用され、これにより、各ループ糸を、不織布製一次的背当て（４０）の下面に沿った所定位置に拘束してロックする。その後、ＰＶＣからなるより重い主コーティング（４４）が、さらなる安定化のためのガラスファイバ製安定化層と一緒に、適用される。上記カーペットは、本発明を何ら限定するものではないけれども、本発明において使用し得るカーペットの代表的タイプのものである。本発明の一部として、他のタイプの従来型カーペットを使用することもできる。
【００１６】
さて、図４には、上述したタイプの織物カバーと組み合わされた継ぎ目ストリップが、全体的に符号（５０）によって示されている。この継ぎ目ストリップ（５０）は、美観的に満足のいく表面処理の形成に関して有効なものである。継ぎ目ストリップ（５０）は、全体的に逆Ｔ字形状とされた長尺ストリップとされ、全体的に上向きのものとされたウェブ（５２）と、このウェブ（５２）の下端からこのウェブ（５２）の両サイドへと横向きに突出した好ましくは一対をなすフランジ（５４，５６）と、を備えている。ウェブの上端（５８）は、例えば返し縫い部分（１４）といったようなパイル上面のところにおいて終端している、あるいは、そのようなパイル上面よりもわずかに下方位置において終端している。好ましくは、ストリップ（５０）は、例えばアルミニウムといったような金属材料から形成されている。上縁（５８）は、また、織物カバーの露出面と組み合わせることによって美観的に満足のいく外観をもたらすようにして、終端している。例えば、露出上面（５８）は、艶出し加工されたアルミニウム表面とすることができる、あるいは、織物カバーの露出面の美観と相補的な態様でもって色が付けられたまたは凹凸が付けられた表面とすることができる。
【００１７】
フランジ（５４，５６）は、好ましくは、互いに離間して配置された複数の穴（６０）を有している。これら穴（６０）は、継ぎ目ストリップを床や壁や天井に対して固定するための、釘やネジや他のタイプの固定手段を受領するためのものである。これに代えて、継ぎ目ストリップは、床や壁や天井に対して、接着剤によって固定することができる。
【００１８】
継ぎ目ストリップ（５０）の両側面上における織物カバーの縁部（あるいは、周縁エッジ）が、フランジ（５４，５６）上に位置すること、および、ウェブ（５２）の各側面に対して接合されることは、理解されるであろう。織物カバーの縁部は、各フランジの上面に対して、接着剤によって固定することができる。
【００１９】
継ぎ目ストリップの好ましい実施形態においては、継ぎ目ストリップの全体的な幅は、３．１７５〜２５．４ｍｍ（１／８〜１インチ）とすることができ、フランジの厚さは、１．０１６ｍｍ（０．０４０インチ）とすることができる。ウェブ（５２）は、継ぎ目ストリップの底面から上面（５８）へと、５．８４２ｍｍ（０．２３０インチ）という高さでもって突出することができる。ウェハの幅は、２．７９４ｍｍ（０．１１０インチ）とすることができる。ストリップの長さが、設置状況に関する要求に応じて変更可能であることは、理解されるであろう。例えば、ストリップの長さは、３．６ｍ（１２フィート）とすることができる。よって、図５においては、継ぎ目ストリップは、互いに隣接したカバーストリップどうしの間の継ぎ目のところに配置されている。カバーは、例えば１．２ｍ（４フィート）や１．８ｍ（６フィート）や２．４ｍ（８フィート）といったような様々な幅を有したロール上のものとすることができる。複数の継ぎ目ストリップが、ロール形状をなすカバーの設置状態に関しての長手方向に沿って延在している。よって、複数の継ぎ目ストリップは、カバーストリップどうしの間に配置されており、したがって、被覆領域の範囲内において配置されており見えている。
【００２０】
図６により、表面処理は、例えば複数の矩形カーペットタイル（７０）といったような複数のタイルに関しても行い得ることは、理解されるであろう。この場合、複数の継ぎ目ストリップは、タイルエッジに沿って、互いに直交するようにして、配置されている。この構成においては、互いに直交して配置されている継ぎ目ストリップどうしの交差部分においては、ウェブを、アンダーカットする（部分的に切り落とす）ことができる。これにより、これら継ぎ目ストリップは、表面処理全体にわたって、一定の高さ位置に位置することとなる。よって、ある１つの継ぎ目ストリップのウェブは、連続的に延在しておりかつ直交して配置された長尺の継ぎ目ストリップのフランジ上に位置することができる。これにより、図示したように、格子パターン内において上面どうしを連続させることができる。
【００２１】
当然のことながら、他の構成を実施することもできる。例えば、図７においては、複数のカバータイル（８０）は、それぞれ三角形状とされており、継ぎ目ストリップは、各三角形状タイルの上面どうしの間の各継ぎ目に沿って延在している。
【００２２】
織物カバーと継ぎ目ストリップとの組合せを使用することによって、織物カバーに対して、他の様々な美的特性をもたらし得ることは、理解されるであろう。好ましい織物カバーにおいて、房の返し縫い部分によって露出摩耗表面の一部を形成し、さらに、一次的背当てによってもまた露出摩耗表面の一部を形成することにより、返し縫い部分と、一次的背当てと、継ぎ目ストリップの上面と、からなる組合せは、様々な美的に満足のいくデザインをもたらすことができる。継ぎ目ストリップによって、構造的な補強がもたらされることにも、注意されたい。さらに、低いパイルが、従来的な高いパイル構成と比較して、小さなクッションしかもたらさないことのために、織物カバーの継ぎ目に沿った金属製継ぎ目ストリップは、（カバー全体の上面よりもない部において）ホイールやキャスターの通過を妨害することがなく、低いパイル構成の下面側において、実質的に違和感をもたらすことがない。また、継ぎ目ストリップの露出上面は、色付きのものや凹凸形状付きのものとすることができ、これにより、織物カバーどうしの連結部分において美観的特性を補完することができる。
【００２３】
現時点において最も実用的でありかつ好ましいと考えられる実施形態を参照して本発明について説明したけれども、本発明が、上記実施形態に何ら限定されるものではないこと、および、本発明が、特許請求の範囲に規定された精神および範囲内に属する様々な変形例や様々な等価な構成のすべてを包含するものであることは、理解されるであろう。
【図面の簡単な説明】
【００２４】
【図１】継ぎ目ストリップと組み合わされることによって、本発明による表面処理の好ましい実施形態を構成することとなる、織物カバーの構成を、概略的に示す断面図である。
【図２】継ぎ目ストリップと組み合わされることによって、本発明による表面処理の好ましい実施形態を構成することとなる、織物カバーの構成を、概略的に示す断面図である。
【図３】継ぎ目ストリップと組み合わされることによって、本発明による表面処理の好ましい実施形態を構成することとなる、織物カバーの構成を、概略的に示す断面図である。
【図４】織物カバーと継ぎ目ストリップとからなる組合せ体の一部を示す斜視図であって、織物カバーの継ぎ目に沿って、継ぎ目ストリップが適用されている。
【図５】継ぎ目ストリップと織物カバーとを備えてなる表面処理における様々な美的デザインの例示を示す図である。
【図６】継ぎ目ストリップと織物カバーとを備えてなる表面処理における様々な美的デザインの例示を示す図である。
【図７】継ぎ目ストリップと織物カバーとを備えてなる表面処理における様々な美的デザインの例示を示す図である。
【符号の説明】
【００２５】
１０  織物カバー
１２  一次的背当て
１４  糸
１６  ループ糸（ループ部分）
１８  樹脂
２８  返し縫い部分
４０  不織布製一次的背当て
５０  継ぎ目ストリップ
５２  ウェブ
５４  フランジ
５６  フランジ
５８  上縁、上面、露出上面
６０  穴
７０  矩形カーペットタイル（タイル）
【図１】
2005514540.tif 000003
【図２】
2005514540.tif 000004
【図３】
2005514540.tif 000005
【図４】
2005514540.tif 000006
【図５】
2005514540.tif 000007
【図６】
2005514540.tif 000008
【図７】
2005514540.tif 000009
【国際調査報告】
2005514540.tif 000010